(57)【要約】【課題】封水蒸発防止剤を投入した際に、排水トラップ中の封水の中を排水口側から下水側へ容易に移動することができる封水蒸発防止剤を提供する。【解決手段】食廃油をエマルジョン化して、比重をρとすると、0.98≦ρ＜ 1.0である水溶性液体を主成分とする。食廃油をＢ廃油とする。乳化状態が少なくとも３ヵ月以上持続するように乳化する。食廃油の80％〜95％をエマルジョン化する。乳化剤がアルカリ性洗剤である。【選択図】図１
2011106233.tif 000002
【特許請求の範囲】
【請求項１】
食廃油をエマルジョン化して、比重を（ρ）とすると、0.98≦ρ＜ 1.0である水溶性液体を主成分としたことを特徴とする封水蒸発防止剤。
【請求項２】
上記食廃油をＢ廃油とした請求項１記載の封水蒸発防止剤。
【請求項３】
乳化状態が少なくとも３ヵ月以上持続するように乳化した請求項１又は２記載の封水蒸発防止剤。
【請求項４】
食廃油の80％〜95％をエマルジョン化した請求項１，２又は３記載の封水蒸発防止剤。
【請求項５】
乳化剤がアルカリ性洗剤である請求項１，２，３又は４記載の封水蒸発防止剤。
【発明の詳細な説明】
【技術分野】
【０００１】
本発明は、封水蒸発防止剤に関する。
【背景技術】
【０００２】
従来、洗面台、流し台等の排水管は、下水側から悪臭が室内に入ったり、害虫等の生物が室内に入るのを防止するために、封水を溜めるための排水トラップが設けられている。しかし、家を不在にしたり、マンションの借り手がいない等の理由により、長期間洗面台、流し台等を使用しない場合、封水が蒸発して（渇水して）下水側から悪臭が室内に入ったり、害虫等の生物が室内に入る虞れがある。そこで、封水の蒸発を防ぐために、封水に油（封水蒸発防止剤）を投入して水面を被覆していた（例えば、非特許文献１参照）。
【０００３】
しかし、上記油は水より比重が軽く、封水蒸発防止剤を投入した際に、封水の中を排水口側から下水側へ移動しづらいという欠点があった。また、図４に示すように、排水管の管壁内面に付着した汚れ層に油（封水蒸発防止剤）が浸入することができず、図４の矢印Ｘに示すように、下方の封水が汚れ層に浸入・上昇し、それによって、封水Ｗが蒸発して（排水トラップＴ内が渇水して）しまう虞れがあった。
【先行技術文献】
【特許文献】
【０００４】
【非特許文献１】「トラップキーパー・ＥＣ−１０１」ホームページアドレスhttp://www.lifestyle-service.net/torapkeep/torapkeep.htm
【発明の概要】
【発明が解決しようとする課題】
【０００５】
解決しようとする課題は、封水蒸発防止剤を投入した際に、封水の中を排水口側から下水側へ移動しづらい点である。また、排水管の管壁内面に付着した汚れ層に油が浸入することができず、封水が汚れ層に浸入・上昇した後に蒸発してしまう（排水トラップＴ内が渇水してしまう）点である。
【課題を解決するための手段】
【０００６】
そこで、本発明に係る封水蒸発防止剤は、食廃油をエマルジョン化して、比重をρとすると、0.98≦ρ＜ 1.0である水溶性液体を主成分としたものである。
また、上記食廃油をＢ廃油としたものである。
また、乳化状態が少なくとも３ヵ月以上持続するように乳化したものである。
また、食廃油の80％〜95％をエマルジョン化したものである。
また、乳化剤がアルカリ性洗剤である。
【発明の効果】
【０００７】
本発明の封水蒸発防止剤によれば、封水蒸発防止剤を投入した際に、封水の中を排水口側から下水側へ容易に移動することができる。また、排水管の管壁内面に付着した汚れ層に浸入した後に目詰まりすることにより、封水が汚れ層から蒸発することを防止することができる。すなわち、排水トラップ内が渇水することを防止することができる。
【図面の簡単な説明】
【０００８】
【図１】本発明の実施の一形態の使用状態を示す説明図である。
【図２】図１の要部拡大図である。
【図３】使用方法を示す説明図である。
【図４】従来例の使用状態を示す説明図である。
【図５】実施例の試験方法を示す説明図である。
【図６】比較例の試験方法を示す説明図である。
【発明を実施するための形態】
【０００９】
図１は、本発明の実施の一形態の使用状態を示す説明図である。この封水蒸発防止剤Ｅは、封水Ｗが蒸発するのを防止するために、例えば、排水管Ｈの排水トラップＴに投入して（流入させて）用いられる。具体的には、封水蒸発防止剤Ｅが、封水Ｗの下水側Ｇと排水口側Ｋの両方の水面Ｍを覆うことにより、封水Ｗが蒸発することを防止する。
【００１０】
封水防止剤Ｅは、食廃油がエマルジョン化されて、比重をρとすると、0.98≦ρ＜1.0である水溶性液体が主成分である。比重ρが、ρ＜0.98の場合、封水Ｗに流入した後の封水Ｗとの分離速度が早く、作業効率が悪くなる。また、比重ρが、 1.0≦ρの場合、封水Ｗの水面Ｍに分離せず、封水Ｗの底に沈殿したりする。食廃油は、例えばＢ廃油とするのが好ましい。
【００１１】
乳化状態が少なくとも３ヵ月以上持続するように乳化されている。例えば、食廃油を機械乳化により、80％〜95％エマルジョン化する。すなわち、食廃油の80％〜95％がエマルジョン化されている。エマルジョン化の割合が上記範囲内にある場合、封水Ｗの中を排水口側Ｋから下水側Ｇへ容易に移動することができる。また、排水管Ｈの管壁内面Ｎに付着した汚れ層Ｓ（図２参照）に浸入した後に目詰まりすることにより、封水Ｗが汚れ層Ｓから蒸発することを防止することができる。また、封水Ｗに流入してから所定時間経過後、封水Ｗの水面Ｍに分離する。
【００１２】
エマルジョン化の割合が80％未満の場合、封水Ｗの中を排水口側Ｋから下水側Ｇへ移動しづらい。また、排水管Ｈの管壁内面Ｎに付着した汚れ層Ｓ（図２参照）に浸入しづらく、封水Ｗが汚れ層Ｓに浸入・上昇した後に蒸発してしまう虞れがある。エマルジョン化の割合が95％を超える場合、封水Ｗに流入した封水蒸発防止剤Ｅが、封水Ｗに完全に溶け込んで、封水Ｗの水面Ｍに分離しなくなってしまう。乳化剤は、例えばアルカリ性洗剤（「スマートウォッシュ」株式会社スマート製）とするのが好ましい。
【００１３】
図２に示すように、封水蒸発防止剤Ｅは、排水管Ｈの管壁内面Ｎに付着した汚れ層Ｓに浸入した後に、図２の矢印Ａに示すように、汚れ層Ｓを上昇し、水分が蒸発して、例えば、図２の範囲Ｚにおいて、油分が目詰まりを生じ始め、その後、しだいに範囲Ｚが下方まで拡大するように目詰まりする。これにより、封水Ｗは、汚れ層Ｓ内を、封水蒸発防止剤の液面(空気との境界面)Ｐより上方高さへ上昇することができない。すなわち、封水Ｗが汚れ層Ｓから蒸発することを防止することができる。
【００１４】
図３は、本発明の封水蒸発防止剤Ｅの使用方法を示す。すなわち、排水口側Ｋから封水蒸発防止剤Ｅを排水トラップＴ内の封水Ｗ(図１・図２参照)へ投入する（流入させる）。投入した（流入した）封水蒸発防止剤Ｅは、封水Ｗ内で拡散し、封水蒸発防止剤Ｅの一部は、封水Ｗ内を図３の矢印Ｃに示すように、下水側Ｇへ移動する。その後、図１に示したように、封水蒸発防止剤Ｅが封水Ｗの水面Ｍを覆う。
【実施例】
【００１５】
次に、図５・図６に示すように、本発明の封水蒸発防止剤Ｅと、従来の封水蒸発防止剤Ｌとを用いて、比較のためのモデル試験を行った。実施例１として、Ｂ廃液 100ccに、乳化剤としてスマートウォッシュを 100cc加え、機械乳化によりＢ廃液を95％乳化させた封水蒸発防止剤Ｅを製造した。比較例として、ヤシ油の新油を用いた（封水蒸発防止剤Ｌ）。
【００１６】
図５に示すように、直径80mmのビーカーＹに50ccの水Ｗ０を入れ、実施例１の封水蒸発防止剤Ｅを50cc投入した。また、図６に示すように、直径80mmのビーカーＹに50ccの水Ｗ０を入れ、比較例の封水蒸発防止剤Ｌを50cc投入した。それぞれのビーカーＹには、あらかじめ汚れ層Ｓ(図２・図４参照)の代わりとして、ガーゼ布片ＦをビーカーＹの側壁Ｙ１に沿って配設するとともに、一部をビーカーＹの外部へビーカーＹの上端縁Ｙ２から垂下させておく。
【００１７】
図５に示した実施例１の封水蒸発防止剤Ｅを投入したものでは、10分後に毛細管現象がおわり、５時間後にビーカーＹ内の水Ｗ０の量が49ccに減少した後は、ほぼビーカーＹ内の水Ｗ０の量に変化が見られなかった。すなわち、水Ｗ０の蒸発はなくなった。図６に示した比較例の封水蒸発防止剤Ｌを投入したものでは、20分後にビーカーＹ内にあった水Ｗ０が毛細管現象によりほとんどすべてガーゼ布片Ｆを介してビーカーＹの外部へ移動した。
【００１８】
以上より、実施例１の封水蒸発防止剤Ｅは、ガーゼ布片Ｆ内に浸入した後に、ガーゼ布片Ｆ内で乾燥して油分が目詰まりを生じたと考えられる。また、比較例の封水蒸発防止剤Ｌは、ガーゼ布片Ｆ内に浸入しなかったと考えられる。本発明に係る封水蒸発防止剤Ｅが投入される排水管Ｈの管壁内面Ｎに形成された汚れ層Ｓは、多数の微細な間隙を有する構造であり、上記ガーゼ布片Ｆも同様の微細な間隙を有する構造であって、上述のモデル試験は実際の汚れ層Ｓを有する排水管Ｈと同様の結果を生ずる。
【００１９】
なお、本発明の封水蒸発防止剤Ｅを洋式トイレの便器内に投入して使用するも良い。便器内の水の蒸発を防止することができる。
本発明は、設計変更可能であって、例えば、あらかじめ除菌剤を含有させておくも良い。除菌効果をもたせることができる。
【００２０】
以上のように、本発明は、食廃油をエマルジョン化して、比重をρとすると、0.98≦ρ＜1.0である水溶性液体を主成分としたので、封水蒸発防止剤Ｅを投入した際に、封水Ｗの中を排水口側Ｋから下水側Ｇへ容易に移動することができる。特に、比重ρが水の比重に近いことと、エマルジョン化していることにより、封水Ｗに流入した後の封水Ｗとの分離速度が遅く(例えば５時間)、作業効率が良い。また、排水管Ｈの管壁内面Ｎに付着した汚れ層Ｓに浸入した後に目詰まりすることにより、封水Ｗが汚れ層Ｓから蒸発することを防止することができる。さらに、食廃油にはグリセリンが例えば約20％含まれており、グリセリンは親水基と親油基を有するので、乳化状態を長時間保持させることができる。また、グリセリンが含まれることにより、寒冷地での配管の凍結を防止することができる。例えば、−８℃まで凍結することを防止することができる。
【００２１】
また、食廃油をＢ廃油としたので、用途が狭いＢ廃油を有効活用することができる。また、低コストで封水蒸発防止剤Ｅを製造することができる。さらに、エマルジョン化すると黄色く見え、外観が良い。すなわち、着色しなくても自然に見えて違和感がなく、清潔感のある色なので、トイレに使用する場合にも適している。
また、乳化状態が少なくとも３ヵ月以上持続するように乳化したので、長期間水を流さない場合にも、排水トラップＴ内の封水Ｗが渇水することを防止することができる。すなわち、長期間にわたって、封水Ｗが蒸発することを防止することができる。
【００２２】
また、食廃油の80％〜95％をエマルジョン化したので、封水Ｗの中を排水口側Ｋから下水側Ｇへ容易に移動することができる。また、排水管Ｈの管壁内面Ｎに付着した汚れ層Ｓに浸入した後に目詰まりすることにより、封水Ｗが汚れ層Ｓから蒸発することを防止することができる。また、封水Ｗに流入してから所定時間経過後、封水Ｗの水面Ｍに分離する。
また、乳化剤がアルカリ性洗剤であるので、防錆効果を有する。また、油が流入した場合に油汚れを防止することができる。
【符号の説明】
【００２３】
Ｅ  封水蒸発防止剤
Ｓ  汚れ層
Ｗ  封水
ρ  比重
【図１】
2011106233.tif 000003
【図２】
2011106233.tif 000004
【図３】
2011106233.tif 000005
【図４】
2011106233.tif 000006
【図５】
2011106233.tif 000007
【図６】
2011106233.tif 000008
【手続補正書】
【提出日】平成22年7月14日(2010.7.14)
【手続補正１】
【補正対象書類名】特許請求の範囲
【補正対象項目名】全文
【補正方法】変更
【補正の内容】
【特許請求の範囲】
【請求項１】
Ｂ廃油を、乳化状態が少なくとも３ヵ月以上持続するようにエマルジョン化して、さらに、比重を（ρ）とすると、0.98≦ρ＜ 1.0である水溶性液体を主成分としたことを特徴とする封水蒸発防止剤。
【請求項２】
乳化剤がアルカリ性洗剤である請求項１又は２記載の封水蒸発防止剤。
【手続補正２】
【補正対象書類名】明細書
【補正対象項目名】０００６
【補正方法】変更
【補正の内容】
【０００６】
そこで、本発明に係る封水蒸発防止剤は、Ｂ廃油を、乳化状態が少なくとも３ヵ月以上持続するようにエマルジョン化して、さらに、比重をρとすると、0.98≦ρ＜ 1.0である水溶性液体を主成分としたものである。
また、乳化剤がアルカリ性洗剤である。
【手続補正書】
【提出日】平成22年9月6日(2010.9.6)
【手続補正１】
【補正対象書類名】特許請求の範囲
【補正対象項目名】全文
【補正方法】変更
【補正の内容】
【特許請求の範囲】
【請求項１】
Ｂ廃油を、乳化状態が少なくとも３ヵ月以上持続するようにエマルジョン化して、さらに、比重を（ρ）とすると、0.98≦ρ＜ 1.0である水溶性液体を主成分としたことを特徴とする封水蒸発防止剤。
【請求項２】
乳化剤がアルカリ性洗剤である請求項１記載の封水蒸発防止剤。